(57)【要約】【課題】  ユーザが所望する画像を得ることができるように連続して静止画撮影を行なう撮影装置及びそのプログラムを実現する。【解決手段】  連続撮影モードに設定されると、撮影枚数及び各枚の撮影条件を入力させるための画面を表示させ（Ｓ１）、ユーザによって撮影枚数及び各枚の撮影条件が入力されたか否かを判断し（Ｓ２）、撮影枚数及び各枚の撮影条件が入力されると該入力された撮影枚数及び各枚の撮影条件を記憶して（Ｓ３）、スルー画像表示を開始させる（Ｓ４）。そして、撮影が指示されると（Ｓ５でＹ）、該記憶した撮影枚数及び各枚の撮影条件に基づいて、連続して静止画撮影を行なう連続撮影処理を開始する（Ｓ６）。連続撮影処理が終了すると（Ｓ７でＹ）、該得られた撮影条件が違う複数の静止画データを記録する（Ｓ８）。【選択図】  図２
2008099192.tif 000002
【特許請求の範囲】
【請求項１】
被写体を撮像する撮像手段と、
前記撮像手段を用いて連続して静止画撮影を行なう連続撮影制御手段と、
前記静止画撮影に対する撮影条件を複数設定する設定手段と、
前記連続撮影制御手段による連続した静止画撮影により得られた各画像データを記録手段に記録する記録制御手段と、を備え、
前記連続撮影制御手段は、
前記設定手段により設定されたそれぞれが異なる撮影条件に基づいて、静止画撮影を連続して行うことを特徴とする撮像装置。
【請求項２】
外部から撮影条件を入力するための入力手段を備え、
前記設定手段は、
前記入力手段により複数入力された撮影条件を、前記静止画撮影に対する撮影条件として複数設定することを特徴とする請求項１記載の撮像装置。
【請求項３】
複数の撮影シーン情報を有し、各撮影シーンに対応する撮影条件を記録した撮影条件データと、
前記撮影条件データから、任意の撮影シーンを複数選択するための選択手段と、
を備え、
前記設定手段は、
前記選択手段により複数選択された撮影シーンに対応する撮影条件を、前記静止画撮影に対する撮影条件として複数設定することを特徴とする請求項１記載の撮像装置。
【請求項４】
複数の撮影シーン情報を有し、各撮影シーンに対応する撮影条件を記録した撮影条件データと、
前記撮像手段による撮像により得られた画像データに基づいて、現在の撮影状況を検出する検出手段と、
前記検出手段により検出された撮影状況に基づいて、前記撮影条件データから撮影シーンを少なくとも１シーン以上自動的に選択する自動選択手段と、
を備え、
前記設定手段は、
前記自動選択手段により複数選択された撮影シーンに対応する撮影条件を、前記静止画撮影に対する撮影条件として複数設定することを特徴とする請求項１記載の撮像装置。
【請求項５】
前記検出手段は、
現在の撮影状況として、被写体の明るさ、色味、被写体の移動量のうち、少なくとも１つ以上を検出することを特徴とする請求項４記載の撮像装置。
【請求項６】
前記自動選択手段は、
前記検出手段により検出された撮影状況と前記撮影条件データにおける各シーンとの類似度を判定する判定手段を備え、前記判定手段の判定結果に基づいて、前記撮影条件データから撮影シーンを複数選択することを特徴とする請求項４又は５記載の撮像装置。
【請求項７】
前記連続撮影制御手段により静止画が連続撮影されるまでは、前記撮像手段を用いて被写体の動画撮影を行い、該動画撮影により得られた動画データに基づくイメージ動画像を表示手段にスルー表示させるスルー表示制御手段を備え、
前記スルー表示制御手段は、
前記自動選択手段により撮影シーンが選択された場合は、該選択された撮影シーンのシーン情報を、前記表示手段にスルー表示しているイメージ動画像上に重ねて表示させることを特徴とする請求項４乃至６の何れかに記載の撮像装置。
【請求項８】
前記記録制御手段は、
前記連続撮影制御手段による連続静止画撮影で得られた各画像データと、該各画像データが撮影された時の撮影条件に対応する撮影シーンの情報とを関連付けて記録することを特徴とする請求項３乃至７の何れかに記載の撮像装置。
【請求項９】
前記記録手段に記録された画像データを再生表示させる再生表示制御手段を備え、
前記再生表示制御手段は、
再生表示させる画像データに関連付けて撮影シーンの情報が記録されている場合は、該画像データを再生表示させるとともに該撮影シーンの情報も表示させることを特徴とする請求項８記載の撮像装置。
【請求項１０】
前記連続撮影制御手段により連続して行われる静止画撮影の各撮影条件を１つのグループとして記録するグループ記録制御手段を備えることを特徴とする請求項１乃至９の何れかに記載の撮像装置。
【請求項１１】
前記グループ記録制御手段により記録されたグループ毎に撮影条件を読み出す読出手段と、
前記読出手段により読み出された各撮影条件に基づいて、それぞれが異なる撮影条件となっている静止画撮影を連続して行う第二の連続撮影制御手段と、
を備えたことを特徴とする請求項１０記載の撮像装置。
【請求項１２】
被写体を撮像する撮像手段を用いて連続して静止画撮影を行なう連続撮影処理と、
前記静止画撮影に対する撮影条件を複数設定する設定処理と、
前記連続撮影処理による連続した静止画撮影により得られた各画像データを記録手段に記録する記録制御処理と、を含み、
前記連続撮影処理は、
前記設定処理により設定されたそれぞれが異なる撮影条件に基づいて、静止画撮影を連続して行なうように実行させることを特徴とするプログラム。
【発明の詳細な説明】
【技術分野】
【０００１】
本発明は、撮像装置及びそのプログラムに係り、詳しくは、連続して静止画撮影を行なう撮像装置及びそのプログラムに関する。
【背景技術】
【０００２】
撮像装置、例えば、デジタルカメラにおいては、連続して静止画撮影を行なうことができる技術があり、それに伴いある特定の撮影パラメータをブラケティングさせて連続撮影する技術が登場した。（特許文献１）。
【０００３】
【特許文献１】公開特許公報  特開２００５−３５４１６５
【発明の開示】
【発明が解決しようとする課題】
【０００４】
しかしながら、上記技術によれば、撮影条件を異ならせて連続して撮影することはできるが、ある特定の撮影パラメータ、例えば、露出値やホワイトバランス値を一定間隔毎にずらして連続撮影するに過ぎず、現在の撮影状況に応じた画像が必ずしも得られるというものではなく、また、ユーザが所望する画像を得ることができなかった。
【０００５】
そこで本発明は、かかる従来の問題点に鑑みてなされたものであり、ユーザが所望する画像を得ることができるように連続して静止画撮影を行なう撮影装置及びそのプログラムを提供することを目的とする。
【課題を解決するための手段】
【０００６】
上記目的達成のため、請求項１記載の発明による撮像装置は、被写体を撮像する撮像手段と、
前記撮像手段を用いて連続して静止画撮影を行なう連続撮影制御手段と、
前記静止画撮影に対する撮影条件を複数設定する設定手段と、
前記連続撮影制御手段による連続した静止画撮影により得られた各画像データを記録手段に記録する記録制御手段と、を備え、
前記連続撮影制御手段は、
前記設定手段により設定されたそれぞれが異なる撮影条件に基づいて、静止画撮影を連続して行うことを特徴とする。
【０００７】
また、例えば、請求項２に記載されているように、外部から撮影条件を入力するための入力手段を備え、
前記設定手段は、
前記入力手段により複数入力された撮影条件を、前記静止画撮影に対する撮影条件として複数設定するようにしてもよい。
【０００８】
また、例えば、請求項３に記載されているように、複数の撮影シーン情報を有し、各撮影シーンに対応する撮影条件を記録した撮影条件データと、
前記撮影条件データから、任意の撮影シーンを複数選択するための選択手段と、
を備え、
前記設定手段は、
前記選択手段により複数選択された撮影シーンに対応する撮影条件を、前記静止画撮影に対する撮影条件として複数設定するようにしてもよい。
【０００９】
また、例えば、請求項４に記載されているように、複数の撮影シーン情報を有し、各撮影シーンに対応する撮影条件を記録した撮影条件データと、
前記撮像手段による撮像により得られた画像データに基づいて、現在の撮影状況を検出する検出手段と、
前記検出手段により検出された撮影状況に基づいて、前記撮影条件データから撮影シーンを少なくとも１シーン以上自動的に選択する自動選択手段と、
を備え、
前記設定手段は、
前記自動選択手段により複数選択された撮影シーンに対応する撮影条件を、前記静止画撮影に対する撮影条件として複数設定するようにしてもよい。
【００１０】
また、例えば、請求項５に記載されているように、前記検出手段は、
現在の撮影状況として、被写体の明るさ、色味、被写体の移動量のうち、少なくとも１つ以上を検出するようにしてもよい。
【００１１】
また、例えば、請求項６に記載されているように、前記自動選択手段は、
前記検出手段により検出された撮影状況と前記撮影条件データにおける各シーンとの類似度を判定する判定手段を備え、前記判定手段の判定結果に基づいて、前記撮影条件データから撮影シーンを複数選択するようにしてもよい。
【００１２】
また、例えば、請求項７に記載されているように、前記連続撮影制御手段により静止画が連続撮影されるまでは、前記撮像手段を用いて被写体の動画撮影を行い、該動画撮影により得られた動画データに基づくイメージ動画像を表示手段にスルー表示させるスルー表示制御手段を備え、
前記スルー表示制御手段は、
前記自動選択手段により撮影シーンが選択された場合は、該選択された撮影シーンのシーン情報を、前記表示手段にスルー表示しているイメージ動画像上に重ねて表示させるようにしてもよい。
【００１３】
また、例えば、請求項８に記載されているように、前記記録制御手段は、
前記連続撮影制御手段による連続静止画撮影で得られた各画像データと、該各画像データが撮影された時の撮影条件に対応する撮影シーンの情報とを関連付けて記録するようにしてもよい。
【００１４】
また、例えば、請求項９に記載されているように、前記記録手段に記録された画像データを再生表示させる再生表示制御手段を備え、
前記再生表示制御手段は、
再生表示させる画像データに関連付けて撮影シーンの情報が記録されている場合は、該画像データを再生表示させるとともに該撮影シーンの情報も表示させるようにしてもよい。
【００１５】
また、例えば、請求項１０に記載されているように、前記連続撮影制御手段により連続して行われる静止画撮影の各撮影条件を１つのグループとして記録するグループ記録制御手段を備えるようにしてもよい。
【００１６】
また、例えば、請求項１１に記載されているように、前記グループ記録制御手段により記録されたグループ毎に撮影条件を読み出す読出手段と、
前記読出手段により読み出された各撮影条件に基づいて、それぞれが異なる撮影条件となっている静止画撮影を連続して行う第二の連続撮影制御手段と、
を備えるようにしてもよい。
【００１７】
上記目的達成のため、請求項１２記載の発明によるプログラムは、被写体を撮像する撮像手段を用いて連続して静止画撮影を行なう連続撮影処理と、
前記静止画撮影に対する撮影条件を複数設定する設定処理と、
前記連続撮影処理による連続した静止画撮影により得られた各画像データを記録手段に記録する記録制御処理と、を含み、
前記連続撮影処理は、
前記設定処理段により設定されたそれぞれが異なる撮影条件に基づいて、静止画撮影を連続して行なうように実行させることを特徴とする。
【発明の効果】
【００１８】
本発明によれば、ユーザが所望する画像を、容易に得ることができる。
【発明を実施するための最良の形態】
【００１９】
以下、本実施の形態について、本発明の撮像装置をデジタルカメラに適用した一例として図面を参照して詳細に説明する。
[第１の実施の形態]
【００２０】
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ６（timing generator）、ユニット回路７、画像生成部８、ＣＰＵ９、キー入力部１０、メモリ１１、ＤＲＡＭ１２、フラッシュメモリ１３、画像表示部１４、バス１５を備えている。
【００２１】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ９からの制御信号にしたがってフォーカスモータ、ズームモータをそれぞれ光軸方向に駆動させるフォーカスモータドライバ、ズームモータドライバから構成されている。
【００２２】
ＣＣＤ４（撮像素子）は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ９により制御される。なお、ＣＣＤ４はベイヤー配列の色フィルターを有しており、電子シャッタとしての機能も有する。この電子シャッタのシャッタ速度は、ドライバ５、ＴＧ６を介してＣＰＵ９によって制御される。
【００２３】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２４】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ９に送られる。つまり、画像生成部８は、ＣＣＤ４から出力された画像データに対して画像処理を施す。
【００２５】
ＣＰＵ９は、画像生成部８から送られてきた画像データを記録する機能を有するとともに、デジタルカメラ１の各部を制御するワンチップマイコンである。
特に、ＣＰＵ９は、少なくとも、ＣＣＤ４を用いて動画を撮像し、該得られた動画を画像表示部１４に表示させる機能（スルー表示制御手段）、ＣＣＤ４を用いて連続して静止画撮影を行なう機能（連続撮影制御手段）、連続撮影の各撮影毎の撮影条件を設定する機能（設定手段）、該連続撮影により得られた各画像データをフラッシュメモリ１３に記録する機能（記録制御手段）を有する。
【００２６】
キー入力部１０（入力手段、選択手段）は、電源Ｏｎ／Ｏｆｆキー、モード切替キー、シャッタボタン、十字キー、セットキー、転送キー、削除キー、キャンセルキー等の複数の操作キーを含み、ユーザのキー操作に応じた操作信号をＣＰＵ９に出力する。
メモリ１１には、ＣＰＵ９が各部を制御するのに必要な制御プログラム、及び必要なデータが記録されており、ＣＰＵ９は、該プログラムに従い動作する。
【００２７】
ＤＲＡＭ１２は、ＣＣＤ４によって撮像された後、ＣＰＵ９に送られてきた画像データを一時記憶するバッファメモリ１１として使用されるとともに、ＣＰＵ９のワーキングメモリ１１として使用される。
フラッシュメモリ１３は、圧縮された画像データを保存する記録媒体である。
【００２８】
画像表示部１４は、カラーＬＣＤとその駆動回路を含み、撮影待機状態にあるときには、ＣＣＤ４によって撮像された被写体をスルー画像として表示し、動画撮影中のときもＣＣＤ４によって撮像された被写体の動画を表示させる。また、動画撮影中に静止画撮影処理が行なわれた場合は、動画とともに撮影された静止画を表示させる。
【００２９】
Ｂ．デジタルカメラ１の動作
実施の形態におけるデジタルカメラ１の動作を図２のフローチャートに従って説明する。
【００３０】
ユーザのモード切替キーの操作により、連続撮影モードが設定されると、ステップＳ１で、ＣＰＵ９は、撮影枚数及び各枚の撮影条件を入力させるための画面を画像表示部１５に表示させる。
ここで、撮影条件とは、フォーカス制御、シャッタ速度、絞り、ＥＶシフト量、感度、フィルター、ホワイトバランス（ＷＢ）、色強調等の撮影パラメータを総合したものをいい、各枚の撮影パラメータを入力するための画面が表示される。
【００３１】
次いで、ステップＳ２で、ＣＰＵ９は、撮影枚数及び各枚の撮影条件の入力が完了したか否かを判断する。
ここで、ユーザはステップＳ１で表示された画面を見ながら、十字キーなどを操作することにより、撮影枚数の数を入力することができるとともに、現在の撮影状況に適合すると思われる撮影条件を各枚ごとに入力することができる。つまり、現在の撮影状況に適合すると思われる複数のパターンの撮影条件を入力することができる。例えば、撮影枚数を３枚と入力する場合には、１枚目の撮影条件、２枚目の撮影条件、３枚目の撮影条件というように各枚の撮影条件を入力することができ、撮影枚数及び各枚の撮影条件の入力が完了したと思うとユーザはセットキーの操作を行なう。
現在の撮影状況に適合すると思われる撮影条件は必ずしも１つではなく、実際に撮影をしてみなければ、どれが一番良い撮影条件かわからないからである。
【００３２】
そして、ＣＰＵ９は、該セットキーの操作に対応する操作信号がキー入力部１０から送られてきたと判断すると、撮影枚数及び各枚の撮影条件の入力が完了したと判断する。
なお、入力する各撮影パラメータは、値を直接入力することができることはもちろんのこと、「オート」と選択して値を入力しないようにしてもよい。オートが選択された場合は、ＣＰＵ９は、撮影時に自動的にオートが入力された撮影パラメータを決定する。この決定は、撮影時直前に撮像された画像データに基づいて撮影パラメータを決定する。
【００３３】
ステップＳ２で、撮影枚数及び各枚の撮影条件の入力が完了していないと判断すると完了したと判断するまでステップＳ２に留まり、撮影枚数及び各枚の撮影条件の入力が完了したと判断すると、ステップＳ３に進む。
ステップＳ３では、ＣＰＵ９は、該入力された撮影枚数及び各枚の撮影条件をバッファメモリ（ＤＲＡＭ１２）の撮影条件記憶領域に記憶させる（設定手段）。つまり、入力された複数のパターンの撮影条件を連続撮影の各撮影の撮影条件として設定する。
【００３４】
次いで、ステップＳ４に進み、ＣＰＵ９は、所定のフレームレートでＣＣＤ４による撮像を開始させ、ＣＣＤ４から順次出力され、画像生成部８によって順次生成された輝度色差信号の画像データをバッファメモリに記憶させていき、該記憶させた画像データを画像表示部１４に表示させていくという、いわゆるスルー画像表示を開始する（スルー表示制御手段）。
次いで、ステップＳ５で、ＣＰＵ９は、ユーザによって撮影の指示が行われたか否かを判断する。この判断は、シャッタボタンの押下に対応する操作信号がキー入力部１０から送られてきたか否かにより判断する。
【００３５】
ステップＳ５で、撮影の指示が行われていないと判断すると撮影指示が行われるまでステップＳ５に留まる。
一方、ステップＳ５で、撮影の指示が行われたと判断すると、ステップＳ６に進み、ＣＰＵ９は、ステップＳ３で記憶した撮影枚数及び各枚の撮影条件に基づいて連続撮影処理を開始する（連続撮影制御手段）。
【００３６】
具体的には、撮影枚数が例えば３枚と記憶されている場合は、記憶されている１枚目の撮影条件下で静止画撮影処理を行い、続いて、記憶されている２枚目の撮影条件下で静止画撮影処理を行い、続いて、記憶されている３枚目の撮影条件下で静止画撮影処理を行うという連続撮影処理を開始する。この撮影処理により得られた静止画データは順次バッファメモリに記憶される。つまり、入力された複数のパターンの撮影条件でそれぞれ静止画撮影処理を行うことになる。
なお、撮影パラメータが「オート」に設定されている場合は、撮影指示が行われた直近に撮像された画像データに基づいて決定する。
【００３７】
連続撮影処理を開始すると、ステップＳ７に進み、ＣＰＵ９は、連続撮影処理が終了したか否かを判断する。
ステップＳ７で、連続撮影処理が終了していないと判断すると終了するまでステップＳ７に留まり、連続撮影処理が終了したと判断すると、ステップＳ８に進む。
ステップＳ８では、ＣＰＵ９は、該連続撮影処理により得られた各静止画データをフラッシュメモリ１３に記録する（記録制御手段）。これにより撮影状況に適合すると思われる複数の撮影条件下で撮影された画像が記録され、ユーザが所望する画像を得ることができる。
【００３８】
Ｃ．以上のように第１の実施の形態においては、ユーザが現在の撮影状況に適合すると思われる複数のパターンの撮影条件を入力し、該入力された複数のパターンの撮影条件に基づいて連続して静止画撮影処理を行うので、得られた複数の静止画データからユーザが所望する画像を得ることができる。つまり、単に現在の撮影状況に適合するような撮影条件を１つ入力して静止画撮影を行なう場合には、得られた静止画データが、ユーザが所望するような画像でない場合は（失敗画像の場合は）、また取り直しして撮影しなければならず、また、取り直しが利かない場合などには対処することができなかったが、本発明によれば、現在の撮影状況に適合すると思われる撮影条件を幾つも入力し、該入力された複数の撮影条件下で連続撮影処理を行うので、ユーザは、所望する複数の候補画像を容易に得ることができるとともに、その中から、真に所望する画像を選択して得ることができる。
【００３９】
［変形例１］
Ｄ．なお、上記第１の実施の形態は、以下のような変形例も可能である。
連続撮影をする際に撮影条件を入力するようにしたが、入力され連続撮影された複数のパターンの撮影条件を１つのグループとしてメモリ１１に記録させたり、複数のパターンの撮影条件を１つのグループとして予めメモリ１１に記録させておき、該グループが選択されると、該グループに属する複数のパターンの撮影条件で連続撮影を行なうようにしてもよい。
このとき、該グループ名の名称をユーザが任意に入力するようにしてもよい。例えば、「夜間の撮影」というようなグループの名称を、夜間の撮影に対応する撮影条件の一群に対応させて入力させておくことにより、今後、夜に撮影を行なう場合には、「夜間の撮影」のグループを選択することで、夜間の撮影に対応する各撮影条件で連続撮影することができる。これにより、連続撮影する度に複数のパターンの撮影条件を入力するという手間を省くことができる。
また、該記録したグループに属する撮影条件の撮影パラメータを変更することができるようにしてもよい。
【００４０】
［第２の実施の形態］
次に、第２の実施の形態について説明する。
第１の実施の形態においては、ユーザが各枚の撮影条件に対応させて、各撮影パラメータを入力するようにしたが、第２の実施の形態においては、予め決められている撮影シーンをユーザが任意に複数選択し、該選択された各撮影シーンに対応する撮影条件下で連続撮影を行なうというものである。
【００４１】
Ｅ.デジタルカメラ１の動作
第２の実施の形態も、図２に示したものと同様の構成を有するデジタルカメラ１を用いることにより本発明の撮像装置を実現する。
但し、メモリ１１には、予め撮影シーンに対応する撮影条件（シャッタ速度、絞り、色強調など）を記憶した撮影条件データ、各撮影シーンのタイトル及びその説明、サンプル画像データの付加情報データが複数記憶されている。また、各撮影シーンには、番号が付されており、この番号順に撮影シーンが表示されることになる。
【００４２】
図３（ａ）は、撮影条件データの内容を示すものであり、各撮影シーンの番号毎に、シャッタ速度、絞り、ＥＶシフト、色強調などの撮影パラメータが記録されているのがわかる。
また、図３（ｂ）は、付加情報データの内容を示すものであり、「人物を写します」という撮影シーンの内容を示したタイトル、「色強調が肌色に設定されます。望遠側にすると背景がきれいにぼけます」といった撮影シーンの説明及びサンプル画像データが撮影シーンの番号毎に記録されているのがわかる。
この撮影シーンのタイトルや説明、サンプル画像を見ることにより、ユーザは現在の撮影状況に適合すると思われる（候補となる）撮影シーンを複数選択することができ、該選択された複数の撮影シーンに対応する撮影条件で連続撮影することができる。
【００４３】
図３（ｃ）は、メモリ１１に記録されている撮影シーンを表示させたときの様子を示すものである。
図３（ｃ）を見るとわかるように、サンプル画像と、シーンタイトル、説明が表示される。この詳細表示は選択された撮影シーン（番号）に基づいてメモリから読み出された付加情報データが表示される。なお、右上の数字が現在表示している撮影シーンの番号である。
【００４４】
以下、第２の実施の形態のデジタルカメラ１の動作を図４のフローチャートにしたがって説明する。
ユーザのモード切替キーの操作により、連続撮影モードが設定されると、ステップＳ１１で、ＣＰＵ９は、メモリ１１に記録されている撮影シーンのうち、最初の撮影シーン（番号が１の撮影シーン）を選択し、該選択した撮影シーンを表示させる。
【００４５】
次いで、ステップＳ１２で、ＣＰＵ９は、十字キーの操作が行なわれたか否かを判断する。この判断は、十字キーの操作に対応する操作信号がキー入力部１０から送られてきたか否かにより判断する。
ステップＳ１２で、十字キーの操作が行われたと判断すると、ステップＳ１３に進み、ＣＰＵ９は、該操作に従って撮影シーンを新たに選択し、該選択した撮影シーンを表示して、ステップＳ１４に進む。つまり、選択表示する撮影シーンを変更する。例えば、番号２の撮影シーンが選択されている状態で十字キーの「↓」キーが操作されると番号３の撮影シーンを新たに選択して表示させ、逆に番号２の撮影シーンが選択されている状態で十字キーの「↑」キーが操作されると番号１の撮影シーンを選択して表示する。
【００４６】
なお、最後の番号が選択されている場合に十字キーの「↓」が操作された場合や、最初の番号（番号１）の撮影シーンが選択されている場合に「↑」キーが操作された場合は、操作に対応する次の番号が無いので選択表示を変更しないようにしてもよいし、最初の番号と最後の番号とを連続させて、操作に対応する次の番号を選択して表示するようにしてもよい。つまり、最後の番号の撮影シーンが選択されているときに「↓」キーが操作されると最初の番号の撮影シーンを選択して表示させ、最初の番号の撮影シーンが選択されているときに「↑」キーが操作されると最後の番号の撮影シーンを選択して表示するようにしてもよい。
【００４７】
一方、ステップＳ１２で、十字キーの操作が行われていないと判断するとそのままステップＳ１４に進む。
ステップＳ１４に進むと、セットキーが押下されたか否かを判断する。この判断は、セットキーの押下に対応する操作信号がキー入力部１０から送られてきたか否かにより判断する。ここで、ユーザは現在の撮影状況に適合していると思われる撮影シーンや、この撮影シーンで撮影したいと思う場合には、ＳＥＴキーの押下操作を行なう。
【００４８】
ステップＳ１４で、セットキーの押下操作が行われていないと判断するとステップＳ１２に戻り、ＳＥＴキーの押下操作が行なわれたと判断すると、ステップＳ１５に進む。
ステップＳ１５では、ＣＰＵ９は、現在選択している撮影シーンの番号をバッファメモリに記憶して、ステップＳ１６に進む。つまり、セットキーの押下操作を行なうことにより撮影する撮影シーンの選択を決定することができる。
【００４９】
ステップＳ１６に進むと、ＣＰＵ９は、ＳＥＴキーの押下操作が長押しされたか否かを判断する。この判断は、ＳＥＴキーの押下に対応する操作信号、つまり、押下されてからその押下が解除させるまでを示す操作信号が所定時間以上送られてきたか否かにより判断する。
ステップＳ１６で、セットキーが長押しされていないと判断するとステップＳ１２に戻る。
【００５０】
つまり、セットキーを長押しするまでは、ユーザは任意に現在の撮影状況に適合すると思われる撮影シーンを複数選択することができ、また選択を変更することができる。例えば、現在の撮影状況が、複数の撮影シーン（例えば、「夜景」、「花火」など）に該当すると思われる、又は近似すると思われる場合には、該当又は近似する撮影シーンを複数選択することができる。
なお、この選択された撮影シーンの数に応じて連続撮影処理により撮影される撮影枚数が決まる。
【００５１】
一方、ステップＳ１６で、セットキーが長押しされたと判断すると、ステップＳ１７に進み、ＣＰＵ９は、現在選択されている全ての撮影シーンの番号に対応する撮影条件をメモリ１１の撮影条件データから読出してバッファメモリの撮影条件記憶領域に記憶させるとともに、該選択されている撮影シーンの数も記憶させる（設定手段）。つまり、選択されている複数の撮影シーンの撮影条件を連続撮影の各撮影の撮影条件として設定する。なお、記憶される撮影シーンの数が、そのまま連続撮影により撮影される回数（枚数）となる。
なお、撮影シーンの撮影条件を記憶させる際には、撮影シーンの番号と撮影条件とを関連付けて記録するようにする。
【００５２】
次いで、ステップＳ１８に進み、ＣＰＵ９は、ＣＣＤ４により被写体を撮像させ、被写体のスルー画像を表示させる処理を開始させる。
スルー画像表示が開始されると、ステップＳ１９に進み、ＣＰＵ９は、ユーザによって撮影の指示が行われたか否かを判断する。
ステップＳ１９で、撮影の指示が行われていないと判断すると撮影の指示が行われるまでステップＳ１９に留まり、撮影の指示が行われたと判断すると、ステップＳ２０に進み、ＣＰＵ９は、ステップＳ１７で記憶した撮影枚数（回数）及び各撮影（各枚）の撮影条件に基づいて、連続撮影処理を開始する。
【００５３】
具体的には、撮影条件記憶領域に記憶されている各撮影条件に関連付けられている撮影シーンの番号（撮影シーン番号）のうち、一番小さい撮影シーン番号の撮影条件下で静止画撮影処理を行い、続いて、次に撮影シーン番号が小さい撮影条件下で静止画撮影処理を行うというように、撮影シーン番号の小さい順に、各撮影シーンの撮影条件下で連続撮影処理を行うという処理を開始する。つまり、選択された複数の撮影シーンの撮影条件でそれぞれ静止画撮影処理を行うことになる。
なお、撮影シーン番号が大きい順に連続撮影処理を行うようにしてもよいし、ユーザが撮影シーンを選択した順に連続撮影処理を行うようにしてもいし、ランダムに撮影シーン番号を選択して連続撮影処理を行うようにしてもよい。
【００５４】
次いで、ステップＳ２０で、ＣＰＵ９は、連続撮影処理が終了したか否かを判断する。
ステップＳ２０で、連続撮影処理が終了していないと判断すると終了するまでステップＳ２０に留まり、連続撮影処理が終了したと判断すると、ステップＳ２１に進み、ＣＰＵ９は、該連続撮影処理により得られた複数の静止画データをフラッシュメモリ１３に記録させる。
このとき、記録される各画像データに、どの撮影シーンで撮影されたかを示す撮影シーン情報（例えば、撮影シーンの番号や撮影シーンのタイトル等）を関連付けて記録させる。
【００５５】
Ｆ．以上のように第２の実施の形態においては、ユーザが現在の撮影状況に適合すると思われる撮影シーンを幾つも選択して決定し、該選択決定した複数の撮影シーンに基づいて連続撮影処理を行うので、ユーザは、所望する複数の候補画像をより容易に得ることができるとともに、その中から、真に所望する画像を選択して得ることができる。
【００５６】
［第３の実施の形態］
次に、第３の実施の形態について説明する。
第２の実施の形態においては、ユーザが撮影シーンを選択するようにしたが、第３の実施の形態においては、現在の撮影情況（現在の撮影環境）に応じて複数の撮影シーンを自動的に選択して、連続撮影を行なうというものである。
【００５７】
Ｇ.デジタルカメラ１の動作
第３の実施の形態も、図２に示したものと同様の構成を有するデジタルカメラ１を用いることにより本発明の撮像装置を実現する。
但し、第２の実施の形態と同様にメモリ１１には、予め撮影シーンに対応する撮影条件を記憶した撮影条件データ、各撮影シーンのタイトル及びその説明、サンプル画像データの付加情報データが複数記憶されている。
【００５８】
更に、第３の実施の形態においては、ＣＰＵ９は、現在撮像されている画像データに基づいて、被写体の明るさ、被写体の色味、被写体の移動量などの撮影状況を検出する処理（検出手段）を有する。
この被写体の明るさは、画像データの輝度成分に基づいて検出し、被写体の色味は画像データのＲ、Ｇ、Ｂの各色の色成分に基づいて検出し、被写体の移動量は、動きベクトル等を算出することにより被写体の移動量を検出する。
【００５９】
以下、第３の実施の形態のデジタルカメラ１の動作を図４のフローチャートにしたがって説明する。
ユーザのキー入力部１０のモード切替キーの操作により、連続撮影モードに設定されると、ステップＳ３１で、ＣＰＵ９は、ＣＣＤ４により被写体を撮像させ、該撮像された被写体のスルー画像を表示させる処理を開始する。
次いで、ステップＳ３２で、ＣＰＵ９は、直近に撮像された画像データに基づいて撮影状況を検出する。（検出手段）。ここでは、ＣＣＤ４により撮像された画像データの輝度成分に基づいて被写体の明るさを検出したり、画像データのＲ、Ｇ、Ｂの各色成分に基づいて被写体の色味を検出したり、画像データに基づいて動きベクトルを検出する。
【００６０】
次いで、ステップＳ３３で、該検出された撮影状況に近い撮影シーンを自動的に選択する（自動選択手段）。この選択された撮影シーン番号はバッファメモリに記憶される。なお、既に記憶されている場合は、上書きして記憶される。
この撮影シーンの自動選択は、ステップＳ３２で検出された明るさの度合い、色味、動きベクトルの態様等の撮影状況と、前記撮影条件データの各撮影シーンとの類似度を判定し、該判定結果に基づいて複数の撮影シーンを選択する。
【００６１】
具体的に説明すると、メモリ１１は、明るさの度合い、色味、動きベクトルの態様等の各条件（撮影状況条件）に対応する撮影シーン（撮影シーンの番号）を記録した類似度分類としてのテーブルを予め備えている。つまり、該テーブルには明るさの度合いに対応する撮影シーン、色味に対応する撮影シーン、動きベクトルの態様に対応する撮影シーンというように各撮影状況条件に対応する撮影シーンが記録されている。例えば、明るさが暗いに対応する撮影シーンとして「夜景」、「花火」等の撮影シーンが記録されており、色味が赤いに対応する撮影シーンとして「夕日」、「紅葉」等の撮影シーンが記録されており、動きベクトルの大きさ、変化量等の態様に対応する撮影シーンとして「スポーツ」、「水しぶき」、「ブレ軽減」等の撮影シーンが記録されている。
【００６２】
そして、ステップＳ３２で検出された撮影状況（現在の明るさ、色味、動きベクトル等）と該テーブルとを用いて、撮影シーンの類似度を判定し、該判定した類似度に基づいて撮影シーンを自動的に複数選択する。
この類似度の撮影シーンの判定としては、例えば、ステップＳ３２で検出された各撮影状況条件に対応する撮影シーンに対して類似ポイントを１ポイント付加し、該付加した類似ポイントが高い撮影シーンほど類似度が高いと判定する。そして、該判定された類似ポイントが高い方から所定数の撮影シーンを自動的に選択するようにしてもよいし、所定の類似ポイント以上の類似ポイントが付加された撮影シーンを自動的に複数選択するようにしてもよいし、ポイントが付加された撮影シーンを全て自動的に選択するようにしてもよい。
【００６３】
例えば、ステップＳ３２で検出された明るさの度合いに対応する撮影シーンの番号が、番号２、番号５、番号７、番号１０、番号２０とした場合には、該番号の撮影シーンに類似ポイントを１ポイント付加する。また、ステップＳ３２で、検出された色味に対応する撮影シーンの番号が、番号５、番号６、番号１０、番号１３、番号１９とした場合には、該番号の撮影シーンに類似ポイントを１ポイント付加する。また、ステップＳ３２で検出された動きベクトルの態様に対応する撮影シーンの番号が、番号３、番号５、番号７、番号１２とする場合には、該番号の撮影シーンに類似ポイントを１ポイント付加するというように各撮影状況条件に対応する撮影シーンに類似ポイントを付加し、該付加された類似ポイントが多い撮影シーン程、類似度が高いということになり、この類似ポイントに基づいて類似度を判定する。
【００６４】
なお、テーブルを備えることなく計算により、その類似度を算出し、該類似度に基づいて撮影シーンを自動選択するようにしてもよい。また、検出された撮影状況に基づいて（又は、直近に撮像された画像データに基づいて）従来のように、直接、各撮影パラメータを自動的に決定することにより撮影条件を決定し（撮影条件決定手段）、該自動的に決定した撮影条件と、撮影条件データの各撮影シーンとの類似度を判定し、該判定結果に基づいて複数の撮影シーンを選択する。つまり、該自動的に決定した撮影条件と類似、又は近似する撮影条件の撮影シーンを自動的に複数選択するようにしてもよい。
【００６５】
次いで、ステップＳ３４に進み、該選択した全ての撮影シーンのタイトルや説明、サンプル画像を記憶した撮影シーン番号に基づいてメモリ１１の付加情報データから読み出し、該読み出した撮影シーンを縮小表示して（図３（ｃ）に示すような画面を縮小して）、スルー画像表示上に重ねて表示させる。このとき、表示させる撮影シーンを半透明にして表示させるようにしてもよい。
なお、撮影シーンのタイトル、説明、サンプル画像を図３（ｃ）のように表示させるのではなく、タイトルのみをスルー画像表示上に重ねて表示させるようにしてもよい。
【００６６】
次いで、ステップＳ３５に進み、ＣＰＵ９は、ユーザによって撮影の指示が行われたか否かを判断する。
ステップＳ３５で、撮影の指示が行われていないと判断するとステップＳ３３に戻る。これにより、撮影状況が変わる度に、自動選択される撮影シーンも変わり（記憶される撮影シーン番号も変わり）、表示される撮影シーンのそれに伴い変わっていく。
【００６７】
一方、ステップＳ３５で、撮影の指示が行われたと判断すると、ステップＳ３６に進み、ＣＰＵ９は、現在記憶している（現在選択している）全ての撮影シーン番号に対応する撮影条件をメモリ１１の撮影条件データから読出してバッファメモリの撮影条件記憶領域に記憶させるとともに、該選択されている撮影シーンの数も記憶させる（設定手段）。つまり、選択されている複数の撮影シーンの撮影条件を連続撮影の各撮影の撮影条件として設定する。なお、記憶される撮影シーンの数が、そのまま連続撮影により撮影される回数（枚数）となる。
なお、撮影シーンの撮影条件を記憶させる際には、撮影シーンの番号と撮影条件とを関連付けて記録するようにする。
【００６８】
次いで、ステップＳ３７に進み、ＣＰＵ９は、記憶した撮影枚数（回数）及び各撮影（各枚）の撮影条件に基づいて、連続撮影処理を開始する。
具体的に、撮影条件記憶領域に記憶されている各撮影条件に関連付けられている撮影シーンの番号（撮影シーン番号）のうち、一番小さい撮影シーン番号の撮影条件下で静止画撮影処理を行い、続いて、次に撮影シーン番号が小さい撮影条件下で静止画撮影処理を行うというように、撮影シーン番号の小さい順に、各撮影シーンの撮影条件下で連続撮影処理を行うという処理を開始する。つまり、自動選択された複数の撮影シーンの撮影条件でそれぞれ静止画撮影処理を行うことになる。
なお、撮影シーン番号が大きい順に連続撮影処理を行うようにしてもよいし、ランダムに撮影シーン番号を選択して連続撮影処理を行うようにしてもよい。
【００６９】
次いで、ステップＳ３８で、ＣＰＵ９は、連続撮影処理が終了したか否かを判断する。
ステップＳ３８で、連続撮影処理が終了していないと判断すると終了するまでステップＳ３８に留まり、連続撮影処理が終了したと判断すると、ステップＳ３９に進み、ＣＰＵ９は、該連続撮影処理により得られた複数の静止画データをフラッシュメモリ１３に記録させる。
このとき、記録される各画像データに、どの撮影シーンで撮影されたかを示す撮影シーン情報（例えば、撮影シーンの名称や撮影シーンの番号等）を関連付けて記録させる。
【００７０】
Ｈ．以上のように第３の実施の形態においては、撮像された画像データから撮影状況を検出し、該検出した撮影状況に適合する撮影シーンを自動的に複数選択するので、ユーザがわざわざ撮影シーンを選択したり、撮影条件を入力する手間が省け、更には、シャッタチャンス等の急いで撮影しなければならない場合においても、撮影状況に適合すると思われる撮影シーンを幾つも選択し、該選択複数の撮影シーンに基づいて連続撮影処理を行うので、ユーザは、シャッタチャンスを逃すことなく、所望する複数の候補画像をより容易に得ることができるとともに、その中から、真に所望する画像を選択して得ることができる。
【００７１】
Ｉ．なお、上記第１乃至第３の実施の形態においては、連続撮影処理により撮影された各静止画データをフラッシュメモリ１３に記録するようにしたが、該連続撮影処理により得られた全ての静止画データを画像表示部１４に表示させ、ユーザにより選択された静止画データのみを記録させるようにしてもよい。
【００７２】
また、第１の実施の形態においては、ユーザが撮影枚数と各枚の撮影条件とを入力するようにしたが、つまり、入力される撮影枚数と入力される撮影条件の数は同じにするようにしたが、入力される撮影枚数と撮影条件の数を異ならせるようにしてもよい。
例えば、第１の実施の形態においては、１枚目の撮影条件Ａ、２枚目の撮影条件Ｂ、３枚目の撮影条件Ｃ、４枚目の撮影条件Ｄというように、入力する撮影枚数と撮影条件の数とを同じにしたが、撮影枚数を４枚と入力し、撮影条件をＡ、Ｂと２つ入力するようにしてもよい。この場合は、１枚目を撮影条件Ａで撮影し、２枚目のを撮影条件Ｂで撮影し、３枚目を撮影条件Ａで撮影し、４枚目を撮影条件Ｂというように撮影するようにしてもよいし、１枚目と２枚目を撮影条件Ａで撮影し、３枚目と４枚目を撮影条件Ｂで撮影するようにしてもよい。要は異なる撮影条件で連続して静止画撮影を行なうものであればよい。なお、撮影条件の数は撮影枚数以下である必要がある。
【００７３】
また、第２の実施の形態、第３の実施の形態でも同様に、選択した撮影シーンの数に応じて撮影枚数が定まるようにしたが、選択した撮影シーンの数以上の枚数を連続撮影するようにしてもよい。
例えば、第２、第３の実施の形態においては、撮影シーンＡ、撮影シーンＢ、撮影シーンＣ、撮影シーンＤが選択された場合は、撮影シーンの撮影条件での撮影と、撮影シーンＢの撮影条件での撮影と、撮影シーンＣの撮影条件での撮影と、撮影シーンＤの撮影条件での撮影、計４回の撮影を連続して行なうようにしたが、連続撮影する撮影枚数を４枚、選択された撮影シーンを撮影シーンＡ、撮影シーンＢというように、撮影枚数を選択した撮影シーンの数より多くするようにしてもよい。この場合は、１枚目を撮影シーンＡの撮影条件で撮影し、２枚目を撮影シーンＢの撮影条件で撮影し、３枚目を撮影シーンＡで撮影し、４枚目を撮影シーンＢで撮影するようにしてもよいし、１枚目と２枚目を撮影シーンＡの撮影条件で撮影し、３枚目と４枚目を撮影シーンＢで撮影するようにしてもよい。要は異なる撮影条件で連続して静止画撮影を行なうものであればよく、連続して静止画撮影される各枚の撮影条件が全て異なる必要はない。
【００７４】
また、第１及び第２の実施の形態においては、異なる撮影条件を入力したり、異なる撮影シーンを選択するようにしたが、全く同じ撮影条件を入力したり、同じ撮影シーンを選択するようにしてもよい。例えば、第１の実施の形態においては、１枚目の撮影の撮影条件と同一の撮影条件を２枚目の撮影条件として入力してもよい。また、第２の実施の形態においては、同じ撮影シーンを複数選択するようにしてもよい。要は、異なる撮影条件で連続して静止画撮影を行なうものであればよく、連続して静止画撮影される各枚の撮影条件が全て異なる必要はない。
【００７５】
また、上記第２、第３の実施の形態において、連続撮影により記録された各静止画データを表示させる場合には、静止画データの表示とともに、該静止画データに関連付けて記録されている撮影シーン情報（撮影シーンのタイトルや番号）を表示させるようにしてもよい。これにより、ユーザは、どの撮影シーンの撮影条件下で撮影された静止画データであるのかがわかり、今後の撮影においても、撮影状況に応じてどの撮影シーンが適切なのかを学習することができる。
【００７６】
また、上記第２乃至第３の実施の形態においても、上記変形例１で説明したように、連続撮影処理により撮影された各撮影条件を１つのグループとして記録するようにしてもよい。
そして、このグループが選択されると、該グループに属する各撮影条件を読み出し、該読み出した各撮影条件で連続撮影を行なう。
【００７７】
また、上記第３の実施の形態において、連続撮影により撮影された各静止画データのうち、ユーザが一番所望する静止画データを選択し、ＣＰＵ９は、該連続撮影された時の撮影状況と撮影シーンとを関連付けて記録するようにしてもよい。これにより、デジタルカメラ１が学習をすることができる。そして、普通の静止画撮影モードにおいて、該記録された撮影状況と略同じ撮影状況であると判断されると、該記録された撮影状況と関連付けて記録されている撮影シーンが最適撮影シーンとして表示させたり、自動的に該撮影シーンの撮影条件に設定するようにしてもよい。
この連続撮影が行なわれた時の撮影状況とは、連続撮影処理が行なわれる前に撮像された画像データに基づいて検出された明るさの度合い、色味、動きベクトル等であってもよいし、従来のように、該画像データに基づいて直接、各撮影パラメータを自動的に決定することにより自動的に決定された撮影条件であってもよい。そして、普通の静止画撮影モードのスルー画像表示中に、撮像された画像データに基づいて検出された明るさの度合い、色味、動きベクトル等、又は、従来とのように、該画像データに基づいて直接、各撮影パラメータを自動的に決定することにより自動的に決定された撮影条件と、撮影状況として記録されている明るさの度合い、色味、動きベクトル等、又は、撮影条件とが略同じであると判断された場合は、該撮影状況と関連付けられて記録されている撮影シーンを表示させたり、撮影シーンの撮影条件を自動的に決定する。
【００７８】
最後に、上記実施の形態においては、本発明の撮像装置をデジタルカメラ１に適用した場合について説明したが、上記の実施の形態に限定されるものではなく、カメラ付き携帯電話、カメラ付きＰＤＡ、カメラ付きパソコン、デジタルビデオカメラ等に適用してもよく、要は被写体を連続撮影することができる機器であればよい。
【図面の簡単な説明】
【００７９】
【図１】本発明の実施の形態のデジタルカメラのブロック図である。
【図２】第１の実施の形態のデジタルカメラ１の動作を示すフローチャートである。
【図３】メモリ１１に記録されている記録されている各撮影シーンの撮影条件データ、付加情報データ、及び撮影シーンが表示されたときの様子を示すものである。
【図４】第２の実施の形態のデジタルカメラ１の動作を示すフローチャートである。
【図５】第３の実施の形態のデジタルカメラ１の動作を示すフローチャートである。
【符号の説明】
【００８０】
１      デジタルカメラ
２      撮影レンズ
３      レンズ駆動ブロック
４      ＣＣＤ
５      ドライバ
６      ＴＧ
７      ユニット回路
８      画像生成部
９      ＣＰＵ
１０    キー入力部
１１    メモリ
１２    ＤＲＡＭ
１３    フラッシュメモリ
１４    画像表示部
１５    バス
【図１】
2008099192.tif 000003
【図２】
2008099192.tif 000004
【図３】
2008099192.tif 000005
【図４】
2008099192.tif 000006
【図５】
2008099192.tif 000007